(57)【要約】【課題】  床構造の施工後でも必要な床板だけを容易に交換することができ、板材の固定具を根太にねじ止めする必要がなく、目地も自由に設定できる床構造を提供する。【解決手段】  上部に受け部２２を有する根太２と、根太２上に載置され、両側面に長尺方向の溝３０が形成された長尺状の床板３と、床板３の溝３０に嵌合した状態で、根太２の受け部２２を挟み込んで、床板３を根太２に固定する床板固定具４と、を有する床構造。【選択図】            図１
2005105802.tif 000002
【特許請求の範囲】
【請求項１】
上部に受け部を有する根太と、
前記根太上に載置され、両側面に長尺方向の溝が形成された長尺状の床板と、
前記床板の溝に嵌合した状態で、前記根太の前記受け部を挟み込んで、前記床板を前記根太に固定する床板固定具と、
を有する床構造。
【請求項２】
前記床板固定具は、前記根太に向かって打ち込まれて、前記受け部を挟み込むことを特徴とする請求項１に記載の床構造。
【請求項３】
前記受け部には、前記床板の長尺方向と直交する方向に凸部または凹部が形成されており、
前記床板固定具には、前記凸部または前記凹部と合致する凹部または凸部が形成されていることを特徴とする請求項１または請求項２に記載の床構造。
【請求項４】
前記根太および前記床板間に、板ばねが配置されていることを特徴とする請求項１〜３のいずれか一項に記載の床構造。
【請求項５】
前記根太は、地面に立設された支持脚に支持されていることを特徴とする請求項１〜４のいずれか一項に記載の床構造。
【請求項６】
前記床板固定具は、前記根太を挟み込んだ状態で、前記根太を前記床板に押圧する弾性力を発生する板ばねを有することを特徴とする請求項１に記載の床構造。
【請求項７】
上部に受け部を有する根太上に、両側面に長尺方向の溝が形成された長尺状の床板を載置する工程と、
前記床板の溝に床板固定具を嵌合した状態で、該固定部が前記受け部を挟み込んで前記床板と前記根太とが固定されるまで、該床板固定具を前記受け部に向かって打ち込む工程と、
を有する床板敷設方法。
【請求項８】
上部に受け部を有する根太と、両側面に長尺方向の溝が形成された長尺状の床板とを固定するための床板固定具であって、
前記床板の溝に嵌合した状態で、前記根太の前記受け部を挟み込んで、前記床板を前記根太に固定する床板固定具。
【請求項９】
前記根太を挟み込んだ状態で、前記根太を前記床板に押圧する弾性力を発生する板ばねをさらに有することを特徴とする請求項８に記載の床板固定具。
【請求項１０】
前記床板は、表面から見えるように、文字、模様もしくは色彩またはこれらの結合が付されていることを特徴とする請求項１に記載の床構造。
【請求項１１】
前記床板は、表面から見えるように、一または二以上のパネルを保持しており、該パネルに、文字、模様もしくは色彩またはこれらの結合が付されていることを特徴とする請求項１０に記載の床構造。
【請求項１２】
前記パネルは、石板またはタイルであることを特徴とする請求項１１に記載の床構造。
【請求項１３】
前記床板は、複数枚が隣接して並ぶことにより、一または二以上の文字もしくは模様を形成することを特徴とする請求項１０または請求項１１に記載の床構造。
【請求項１４】
前記床板は、前記床板固定具を前記根太から離れる方向に叩くことによって、前記床板固定具による前記受け部の挟み込みが解除されて、前記根太から取り外し可能であり、
前記床板を他の床板と交換することによって、新たな文字、模様もしくは色彩またはこれらの結合を表面に形成することを特徴とする請求項１０に記載の床構造。
【発明の詳細な説明】
【技術分野】
【０００１】
本発明は、根太上に複数の床板を敷設するための床構造、床板敷設方法および床板固定具に関する。
【背景技術】
【０００２】
屋外に配置する床構造として、木製の床板を複数枚敷設してなる、いわゆる木製デッキが知られている。一般的な木製デッキは、床スラブに複数の支持脚を立設し、支持脚上に複数の根太を横架させて配置し、さらに、根太に直交する方向に複数の長尺状のデッキ材（床板）を所定間隔離間して敷設したものである。
【０００３】
木製デッキでは、イペ材や、ジャラ材などの比重が大きい硬質の木材を床板に用いている。硬質な木材は加工に非常に手間がかかるので、ねじ穴加工等の特別な加工なしで、根太に固定できるようにしている。
【０００４】
詳細には、予め床板の両側面に長尺方向の溝を形成しておき、この溝に固定具を嵌合して根太上にねじ止めする床構造である。この固定具は、両側に配置される床板の溝に嵌合して、両側の床板の固定に用いられる。
【０００５】
したがって、床板を敷設する際には、まず、床板を一枚置き、両側の溝に固定具をそれぞれ嵌合させて、それらを根太に固定する。次の床板は、根太に固定された固定具に一方の溝が嵌合するように配置し、さらに新たな固定具を反対の溝に嵌合して、これを根太に固定する。この手順を繰り返して、床板を端から順次並べて固定していく（特許文献１参照）。
【０００６】
しかしながら、上記床構造では、床板および固定具を端から順に配置および固定していくので、床構造の施工後には、一部の床板を自由に取り外すことができない。
【０００７】
したがって、たとえば、経年により一部にささくれが生じた床板を交換したい場合、端の床板から交換したい床板まで順に外してから交換するか、交換したい床板を破壊して、同じ場所に新しい床板を木ねじ等により打付けなくてはならない。
【０００８】
このように一枚の床板を交換するために他の床板まで外す必要があるのでは、交換に非常に手間がかかってしまう。また、交換したい床板を破壊し新たな床板を打付けるのでは外観上好ましくなく、ねじ穴を設ける手間までかかってしまうという問題がある。
【０００９】
また、上記床構造では、ねじ止めにより固定具を根太に固定している。したがって、固定具の固定に手間がかかる。その上、一旦固定具の位置を固定してしまうと、その後の位置変更は、ねじ外しを伴ってしまう。このように、根太に固定具をねじ止めすると、作業効率が低下するという問題もある。
【００１０】
加えて、上記床構造では、床板間の間隔（目地）は、固定具により決定される。これでは、自由に目地を設定できないという問題もある。
【特許文献１】特開２００２−５４２９４号公報（段落「００１５」等）
【発明の開示】
【発明が解決しようとする課題】
【００１１】
本発明は、上記問題点に鑑みてなされたものであり、床構造の施工後でも必要な床板だけを容易に交換することができ、板材の固定具を根太にねじ止めする必要がなく、目地も自由に設定できる床構造、床板敷設方法および床板固定具の提供を目的とする。
【課題を解決するための手段】
【００１２】
本発明の上記目的は、下記の手段によって達成される。
【００１３】
（１）本発明の床構造は、上部に受け部を有する根太と、前記根太上に載置され、両側面に長尺方向の溝が形成された長尺状の床板と、前記床板の溝に嵌合した状態で、前記根太の前記受け部を挟み込んで、前記床板を前記根太に固定する床板固定具と、を有する。
【００１４】
（２）前記床板固定具は、前記根太に向かって打ち込まれて、前記受け部を挟み込むことを特徴とする。
【００１５】
（３）前記受け部には、前記床板の長尺方向と直交する方向に凸部または凹部が形成されており、前記床板固定具には、前記凸部または前記凹部と合致する凹部または凸部が形成されていることを特徴とする。
【００１６】
（４）前記根太および前記床板間に、板ばねが配置されていることを特徴とする。
【００１７】
（５）前記根太は、地面に立設された支持脚に支持されていることを特徴とする。
【００１８】
（６）前記床板固定具は、前記根太を挟み込んだ状態で、前記根太を前記床板に押圧する弾性力を発生する板ばねを有することを特徴とする。
【００１９】
（７）本発明の床板敷設方法は、上部に受け部を有する根太上に、両側面に長尺方向の溝が形成された長尺状の床板を載置する工程と、前記床板の溝に床板固定具を嵌合した状態で、該固定部が前記受け部を挟み込んで前記床板と前記根太とが固定されるまで、該床板固定具を前記受け部に向かって打ち込む工程と、を有する。
【００２０】
（８）本発明の床板固定具は、上部に受け部を有する根太と、両側面に長尺方向の溝が形成された長尺状の床板とを固定するための床板固定具であって、前記床板の溝に嵌合した状態で、前記根太の前記受け部を挟み込んで、前記床板を前記根太に固定する。
【００２１】
（９）前記根太を挟み込んだ状態で、前記根太を前記床板に押圧する弾性力を発生する板ばねをさらに有することを特徴とする。
【００２２】
（１０）前記床板は、表面から見えるように、文字、模様もしくは色彩またはこれらの結合が付されていることを特徴とする。
【００２３】
（１１）前記床板は、表面から見えるように、一または二以上のパネルを保持しており、該パネルに、文字、模様もしくは色彩またはこれらの結合が付されていることを特徴とする。
【００２４】
（１２）前記パネルは、石板またはタイルであることを特徴とする。
【００２５】
（１３）前記床板は、複数枚が隣接して並ぶことにより、一または二以上の文字もしくは模様を形成することを特徴とする。
【００２６】
（１４）  前記床板は、前記床板固定具を前記根太から離れる方向に叩くことによって、前記床板固定具による前記受け部の挟み込みが解除されて、前記根太から取り外し可能であり、前記床板を他の床板と交換することによって、新たな文字、模様もしくは色彩またはこれらの結合を表面に形成することを特徴とする。
【発明の効果】
【００２７】
請求項１に記載の発明は、床板固定具が床板に嵌合すると共に根太の受け部を挟み込んで床板を根太に固定するので、床板を固定するために床板に穴を開けてねじ止め等する必要がなく、取り付けを容易に行える。
【００２８】
また、床構造の施工後でも、床板固定具が根太の受け部を挟み込むのを解除すれば、隣接する床板を外すことなく、所望の床板だけを取り外せる。逆に、固定された床板の取り外しを伴わずに、その間に新たな床板を取り付けることもできる。したがって、床構造の施工後にも、容易に床板を交換することができ、床板下に落下した貴重品等を拾い上げることができる。
【００２９】
床板固定具により根太上の自由な位置に床板を固定できるので、床板間の目地を自由に設定できる。
【００３０】
請求項２に記載の発明は、床板固定具が根太に向かって打ち込まれて、受け部を挟み込むので、床板固定具と根太とが固く固定される。
【００３１】
請求項３に記載の発明は、受け部と床板固定具とが凹凸嵌合することによって、床板固定具の移動が規制される。この結果、根太と床板とが外れにくくなる。
【００３２】
請求項４に記載の発明は、板ばねにより床板を押す力が働くので、床板が経年によりやせても、がたつくことを防止できる。
【００３３】
請求項５に記載の発明は、地面が傾斜等していても、支持脚により根太を支える高さを調節することによって、傾斜を吸収でき、床板を水平に配置できる。
【００３４】
請求項６に記載の発明は、根太を床板に押圧する弾性力を発生する板ばねを床板固定具が有するので、根太および床板を強固に固定できる。
【００３５】
請求項７に記載の発明は、床板固定具が床板に嵌合すると共に根太の受け部を挟み込んで床板を根太に固定するので、床板を固定するために床板に穴を開けてねじ止め等する必要がなく、取り付けを容易に行える。
【００３６】
請求項８に記載の発明は、床板に嵌合すると共に根太の受け部を挟み込んで床板を根太に固定するので、床板を固定するために床板に穴を開けてねじ止め等する必要がなく、取り付けを容易に行える。
【００３７】
また、床構造の施工後でも、根太の受け部を挟み込むのを解除すれば、隣接する床板を外すことなく、所望の床板だけを取り外せる。逆に、固定された床板の取り外しを伴わずに、その間に新たな床板を取り付けることもできる。施工後でも、床板を容易に交換できる。
【００３８】
床板固定具は、根太上の自由な位置に床板を固定できるので、床板間の目地を自由に設定できる。
【００３９】
請求項９に記載の発明は、根太を床板に押圧する弾性力を発生する板ばねを有するので、根太および床板を強固に固定できる。
【００４０】
請求項１０に記載の発明は、床板の表面に、文字、模様もしくは色彩またはこれらの結合が付されているので、床構造を単なる床としてではなく、デザイン的にすぐれたものにできる。また、文字や図形を付することによって、床を広告媒体等に活用できる。
【００４１】
請求項１１に記載の発明は、パネルの組み合わせにより、容易に、床板の模様等をデザインできる。
【００４２】
請求項１２に記載の発明は、パネルに石板またはタイルが用いられているので、パネル上に直接人が載ることができ、またパネルの交換が容易である。
【００４３】
請求項１３に記載の発明は、複数枚の床板により大きく、文字もしくは模様を形成できる。
【００４４】
請求項１４に記載の発明は、床板が交換可能なので、床板を交換することにより容易に、床構造に表される文字、模様もしくは色彩またはこれらの結合を変更できる。
【発明を実施するための最良の形態】
【００４５】
以下、図面を参照して、本発明の実施の形態を説明する。
【００４６】
本発明は、木製の床板を複数枚敷設してなる床構造に関し、特に、床板を固定する構造に特徴を有する。
【００４７】
図１は本発明の床構造を示す斜視図、図２は図１に示す床構造のＡ−Ａ断面図、図３は図１に示す床構造のＢ−Ｂ断面図、図４は板ばねを示す図、図５は床板固定具を示す４面図、図６は床板固定具が床板を固定している状態を示す図である。
【００４８】
図１に示すように、本発明の床構造は、地面から立設される支持脚１と、該支持脚１上に横架される根太２と、該根太２に対して直交に配置される床板３と、該床板３を根太２に固定するための床板固定具４とにより構成されている。以下、各構成について、詳細に説明する。
【００４９】
＜支持脚１＞
支持脚１は、アンカーボルト１０と、根太受け１２と、重ね板１４と、ナット１６とを備える。アンカーボルト１０は、コンクリートの基礎（床スラブ）５に埋め込まれて、立設されている。アンカーボルト１０は、根太２が水平になるように、基礎５の傾斜に合せてちょうど良い高さのものが用いられる。アンカーボルト１０は、図２および図３に示すように、根太受け１２および重ね板１４を貫通して、ナット１６によりそれらが固定されている。
【００５０】
根太受け１２は、横架される根太２を位置決めするために、上部に切り欠き１３が形成されている。切り欠き１３に根太２を嵌め、根太受け１２に重ね板１４を重ねて、ナット１６により締結することにより、根太２が固定される。重ね板１４には、凹部１５が形成されており、後述する根太２の凸部２１と嵌合する。
【００５１】
ナット１６は、根太受け１２を締結する高さを調節することによって、床構造全体の高さを調節でき、また、床スラブに凹凸がある場合でも、根太２を水平に保つことができる。
【００５２】
支持脚１は、床構造の敷設範囲に合せて、所定の間隔を空けて配置される。
【００５３】
＜根太２＞
根太２は、耐久性の強い金属で形成されている。そして、根太２は、断面Ｈ字型を有し、該Ｈ字が横向きになるように、複数の支持脚１上に、所定間隔を空けて略平行に配列されている。根太２は、左右対称に形成されており、支持脚１に支持される側と、床板３を支持する側とでは同じ形状を有する。以下では、便宜上、根太２の図中下部を基部２０、上部を受け部２２と称する。また、基部２０と受け部２２との間を中央部２６と称する。
【００５４】
基部２０は、上述の通り、支持脚１の根太受け１２および重ね板１４に挟まれて固定されている。ここで、基部２０には、図２および図３に示すように、その上部に根太２の長尺方向に沿った２本の第１凸部２１が形成されている。該第１凸部２１は、重ね板１４の凹部１５と嵌合する。
【００５５】
受け部２２は、床板３を支持し、後述する床板固定具４により床板３と固く固定される。受け部２２には、図１および図３に示すように、床板３の長尺方向と直交する方向、言い換えると、根太２の長尺方向に沿った溝２３が形成されている。溝２３、つまり、根太２と床板３との間には、図４に示すような板ばね２８が配置されている。板ばね２８は、波型に形成されており、溝２３の深さより大きな高さを有する。
【００５６】
また、受け部２２には、その下部に根太２の長尺方向に沿った２本の第２凸部２４が形成されている。該第２凸部２４は、後述する床板固定具４との嵌合に用いられる。
【００５７】
＜床板３＞
床板３は、長尺状の板材であり、両側面に長尺方向の溝３０が形成されている。床板３は、たとえば、床板３の高さ３０ｍｍに対して、溝３０の深さおよび幅が１０ｍｍに形成されている。したがって、本発明で用いる床板３は、２ｍｍや３ｍｍの幅の溝を要求するものではないので、このような溝を加工する場合に比べて、求められる精度に加工することが容易である。
【００５８】
また、溝３０の幅が１０ｍｍと広いので、加工具も相対的に大きく刃先が大きなものを使用することができる。刃先が大きな加工具を使用できるので、刃先が小さく鋭角なものを使用した場合に比較して、加工具の耐久性が上がり、頻繁な加工具の交換といった手間およびコストの増大を軽減することができる。なお、上記の床板３の形状および寸法は、例示的なものであり、これに限定するものではない。
【００５９】
床板３には、通常、イペ材や、ジャラ材など比重が大きい硬質の木材が用いられており、床構造の耐久性を向上することができる。床板３は、予め溝３０を形成しておき、敷設の際に穴あけ等の加工を行う必要ないので、硬質の木材が現場で加工しにくいという問題も考慮する必要がない。また、床板３は、木製のものに限られず、金属、樹脂、石材などまたはこれらを組み合わせたもので形成されていてもよい。
【００６０】
＜床板固定具４＞
床板固定具４は、金属により形成され、床板３の溝３０に嵌合した状態で、根太２の受け部２２を挟み込んで、床板３を根太２に固定する。まず、図５を参照して、床板固定具４を説明する。
【００６１】
床板固定具４は、底部４０と、底部４０から略垂直に立つ本体部４２と、本体部４２から突出する嵌合部４４とを含む。
【００６２】
底部４０は、平らな表面の一部に溝状の凹部４１が形成されている。該凹部４１は、根太２と床板３とが組み合わさった際に、根太２の第２凸部２４と嵌合する。嵌合時には、床板固定具４の変位が規制される。これにより、床板固定具４が外れることを防止し、床板固定具４による床板３の固定をより堅固にすることができる。
【００６３】
本体部４２は、側面から中央に向かって切り欠き４３が形成されている。切り欠き４３は、床板固定具４が根太２の受け部２２を挟み込むために設けられており、受け部２２の厚さと合致する大きさに形成されている。本実施形態では、切り欠き４３は本体部４２の略中央まで切り込んで形成されている。しかし、切り欠き４３の切り込み深さは、本体部４２の中央までに限られず、これより深くても浅くてもよい。
【００６４】
嵌合部４４は、床板３の溝３０の大きさより僅かに小さく形成されている。これにより、簡単に溝３０に嵌合させることができる。本実施形態では、嵌合部４４をＬ字型に形成しているが、これに限定されない。嵌合部４４は、本体部４２から真直ぐ突出する形状でもよい。
【００６５】
実際に、床板固定具４が根太２に床板３を固定する様子は、図６に示される。嵌合部４４が床板３の溝３０に嵌合しつつ、切り欠き４３で根太２の受け部２２を挟み込んでいる。この状態では、根太２との関係では、床板固定具４は、底部４０が根太２の受け部２２の下面に押付けられるように作用する。一方で、床板３との関係では、床板固定具４は、嵌合部４４が溝３０の下側の面を押さえつけるように作用する。すなわち、床板固定具４は、底部４０と嵌合部４４との間に、根太２と床板３とを挟み込むように作用する。
【００６６】
床板固定具４は、床板３の両側から床板３を固定する。ここで、床板固定具４は、図６に示すように、根太２および床板３に対して対角の位置に取り付けられることが好ましい。これにより、床板３に長手方向の力が働いても、対角に位置する２つの床板固定具４が同時に外れることがない。
【００６７】
なお、図６では、板ばね２８を省略している。しかし、実際には、溝２３には板ばね２８が配置されており、根太２と床板３とを離す方向に力が加えられているので、床板固定具４による根太２と床板３との固定が強固になっている。
【００６８】
＜敷設工程＞
次に、床板３を根太２上に敷設する工程を説明する。
【００６９】
（ｉ）支持脚１上に根太２を横架する。
【００７０】
詳細には、次の通りである。床スラブ５に立設された各アンカーボルト１０に、それぞれ、ナット１６を二つ取り付ける。ナット１６を二つ取り付けるのは、振動等によるナットのゆるみを防止するためである。ここで、ナット１６を取り付ける位置は、根太２を取り付けたい高さに合せる。そして、隣接する２つのアンカーボルト１０を一組として、根太受け１２もアンカーボルト１０に通す。根太受け１２の切り欠き１３に合せて、根太２を配置する。根太２の端部を押さえるように、アンカーボルト１０に重ね板１４を通す。重ね板１４の上からナット１６を締結する。
【００７１】
（ｉｉ）根太２上に床板３を配置する。
【００７２】
詳細には、次の通りである。根太２上の所望の位置に、床板３を配置する。床板３の溝３０に、床板固定具４の嵌合部４４を嵌合させる。ここでは、床板固定具４は、溝３０に沿って自由に移動可能である。なお、溝３０に床板固定具４を嵌合させた状態で、床板３を根太２上に配置してもよい。
【００７３】
（ｉｉｉ）根太２に床板固定具４を打ち込む。
【００７４】
例えば、図１の図中最も手前の床板固定具４ａを打ち込む場合、床板固定具４を直接金槌等で矢印の方向に叩く。打ち込まれた床板固定具４は、溝３０に沿って移動し、切り欠き４３に根太２の受け部２２が完全に入り込んだ時点で、位置決めされる。なお、床板固定具４を直接叩けない場合、たとえば、両隣の床板３が敷設済みで目地の分しか隙間がない場合には、細形状の工具を床板固定具４に当接して該工具を金槌等で叩いて、床板固定具４に力を加える。一枚の床板３に対して、少なくとも４箇所は、床板固定具４により根太２に固定する。
【００７５】
上記（ｉ）〜（ｉｉｉ）を繰り返して、１枚ずつ床板３を敷設していくことができる。ここで、床板３間の目地の幅は、床板３の並べる距離によって自由に設定できる。目地の幅を一定にしたい場合には、所望の目地と同じ長さの棒等を用意し、この棒を床板３間に挟んで敷設し、その後、棒を取り除く。これにより、目地が一定で外観が優れた床板構造を提供できる。
【００７６】
また、敷設された床板３を取り外す場合には、上記手順を逆に行う。例えば、図１の最も手前の床板３を外す場合、床板固定具４を取り外す方向（図１に示す矢印の反対方向）に金槌等で叩く。同様に、床板３を固定する床板固定具４を全て外す。そして、床板３を持ち上げて、床板固定具４を床板３の溝３０から取り外す。これで、床板３の取り外しが終了する。
【００７７】
以上のように、本実施の形態では、床板固定具４が床板３に嵌合すると共に根太２の受け部２２を挟み込んで床板３を根太２に固定するので、床板３を固定するために床板３に穴を開けてねじ止め等する必要がなく、取り付けを容易に行える。
【００７８】
また、床構造の施工後でも、床板固定具４を打ち込み方向の反対方向に叩いて、床板固定具４が根太２の受け部２２を挟み込むのを解除すれば、隣接する床板３を外すことなく、所望の床板３だけを取り外せる。逆に、固定された床板３の取り外しを伴わずに、その間に新たな床板３を取り付けることもできる。したがって、床構造の施工後にも、容易に床板３を交換することができ、床板３下に落下した貴重品等を拾い上げることができる。
【００７９】
さらに、床板固定具４は、根太２上の自由な位置に取り付け可能なので、床板３も自由な位置に固定できる。結果として、床板３間の目地の幅を自由に設定できる。
【００８０】
加えて、床板固定具４が根太２に向かって打ち込まれて、受け部２２を挟み込むので、床板固定具４と根太２とが堅固に固定される。
【００８１】
また、受け部２２の凸部２４と、床板固定具４の凹部４１とが凹凸嵌合することによって、床板固定具４の移動が規制される。この結果、根太２と床板３とが外れにくくなる。
【００８２】
また、板ばね２８を、床板３および根太２間に介在させているので、板ばね２８の反発力により床板３を押す力が働き、床板３が経年によりやせても、がたつくことを防止できる。同時に、床板固定具４による根太２および床板３の固定を堅固にできる。
【００８３】
また、床スラブ５上に支持脚１を立設するので、地面が傾斜等していても、支持脚１の根太受け１２の高さを調節することによって、傾斜を吸収でき、床板を水平に配置できる。
【００８４】
＜改変例＞
以上、本発明の最良な形態を説明してきたが、本発明はこれに限定されない。技術的思想を逸脱しない範囲内で、当業者によって、種々の改変を行うことができる。例えば、次の通りである。
【００８５】
上記実施形態では、支持脚１上に根太を固定し、床板３を敷設していたが、これに限定されない。マンションの屋上やベランダなどほとんど傾斜がない場所に床板３を敷設する場合には、支持脚１なしで根太２を並べて、その上に床板３を敷設してもよい。このとき、根太２を固定する必要があれば、根太２を接着剤で留めたり、ゴムシートなどを予め敷いておき、これに根太２を固定したりしてもよい。
【００８６】
また、床板固定具４による固定時には、根太２の第２凸部２４と、床板固定具４の凹部４１とを凹凸嵌合させていた。しかし、これらの凹凸の関係を逆にしてもよい。すなわち、根太２に凹部を設け、該凹部に合致する凸部を床板固定具４に設けてもよい。同様に、根太２の第１凸部２１と、支持脚１の重ね板１４の凹部１５との凹凸関係を逆にしてもよい。すなわち、根太２に凹部を設け、該凹部に合致する凸部を支持脚１に設けてもよい。
【００８７】
また、床板固定具４による固定時に、根太２の第２凸部２４と、床板固定具４の凹部４１とを凹凸嵌合させなくてもよい。この場合、図７に示すように、床板固定具４に板ばね機構を設ける。
【００８８】
図７は床板固定具の改変例を示す４面図、図８は改変した床板固定具が根太および床板を固定する様子を示す図である。
【００８９】
改変した床板固定具６は、床板固定具４と同様に、金属により形成され、床板３の溝３０に嵌合した状態で、根太２の受け部２２を挟み込んで、床板３を根太２に固定する。
【００９０】
床板固定具６は、底部６０と、底部６０から略垂直に立つ本体部６２と、本体部６２から突出する嵌合部６４とを含む。
【００９１】
底部６０には、固定ピン６６が取り付けられており、該固定ピン６６によって、板ばね６８が固定されている。固定ピン６６は、Ｔ字のピンに板ばね６８を挿通した状態で、底部６０に予め形成された孔に貫通し、かしめることによって、底部６０から外れないように留められる。
【００９２】
本体部６２および嵌合部６４は、床板固定具４の本体部４２および嵌合部４４と同様の役割を果たす。これらの詳細な説明は省略する。
【００９３】
床板固定具６を用いて根太２および床板３を固定した状態は図８に示す通りである。図８は、床板固定具６を用いた場合の図１のＢ−Ｂ断面を示すものである。なお、図中、支持脚１は省略している。
【００９４】
床板固定具６を床板３の溝３０に嵌合させた状態で、根太２側に打ち込むと、板ばね６８と本体部６２とにより、根太２の受け部２２が挟み込まれる。ここで、板ばね６８は、中央をくぼめて形成されているので、受け部２２の凸部２４がちょうどくぼみに嵌る。図８に示す状態では、板ばね６８は、もとに戻ろうとする弾性力を発生するので、この弾性力により、根太２が床板３に押圧される。この結果、床板３が根太２に堅固に固定される。
【００９５】
なお、床板固定具６を採用する場合、根太２の受け部２２に設けた溝２３、および該溝２３に配置された板ばね２８は省略することができる。床板固定具６に設けられた板ばね６８が、板ばね２８と同等の役割を果たすからである。
【００９６】
＜利用例＞
以上では、特に床板３については、無地の物を使用する例について説明してきた。本発明の床構造では、床板３に、表面から見えるように、文字、模様もしくは色彩またはこれらの結合が付されていてもよい。床板に文字、模様もしくは色彩またはこれらの結合を付すことによって、本発明の床構造を単なる床としてではなく、デザイン的にすぐれたものにでき、見た目に美しくまたは楽しいものにできる。また、文字や図形を付することによって、床に情報を持たせることができ、たとえば、行き先案内や広告媒体等として利用できる。
【００９７】
以下では、床板３の表面に文字、模様もしくは色彩またはこれらの結合を付して利用した利用例について説明する。
【００９８】
図９は、床板に模様を付して、複数の床板を並べた様子を示す平面図である。なお、図９では、床板３以外の根太２等の構成は省略している。
【００９９】
図９に示すように、各床板３に模様を付して並べることによって、文字「Ａ」を床構造の表面に表示できる。この場合、各床板３には、それぞれ、文字「Ａ」を構成するために、「Ａ」の一部を表す模様が付されている。
【０１００】
各床板３に模様を付すためには、床板３に直接模様をペンキ等で書いてもよいし、または、予め模様がプリントされたシートを床板３に貼り付けることもできる。
【０１０１】
図９に示す例では、床板３に文字「Ａ」を表す場合について図示しているが、これに限定されない。たとえば、複数の隣接する床板３により、一または二以上の模様や図形や、商標等を表すこともできる。
【０１０２】
また、上述の通り、床板３は、床板固定具４を根太２から離れる方向に叩くことによって、床板固定具４による受け部２２の挟み込みが解除されて、根太２から取り外しが可能である。したがって、床板３を他の床板３と容易に交換でき、これにより、床構造に表される文字、模様もしくは色彩またはこれらの結合を容易に変更できる。
【０１０３】
本発明の床構造に、文字、模様もしくは色彩またはこれらの結合を付する方法として、図９に示す以外にも、図１０に示すようなものが考えられる。
【０１０４】
図１０は、表面から見えるように、一または二以上のパネルを保持する床板を示す平面図である。なお、図１０では、床板３以外の根太２等の構成は省略している。
【０１０５】
図１０に示すように、複数のパネル３５を床板３上に配置する。ここで、パネル３５と床板３との間に段差ができないように、床板３には、凹部が形成されており、該凹部にパネル３５がはめ込まれている。床板３に並べるパネル３５の色をそれぞれ変えることにより、床構造に、さまざまな模様や文字等を表現できる。
【０１０６】
たとえば、図１０に示すように、カタカナの「ア」を表示できる。床板３の枚数をより多くしたり、または、パネル３５の数をもっと細かく多くしたりすることによって、より複雑でより多くの文字や模様を表現できる。
【０１０７】
なお、パネル３５には、たとえば、石材でできた石板や、タイル等を用いることができる。パネル３５に石板やタイルを用いれば、人がパネル上に載っても壊れないくらい十分強い床構造が得られる。また、石板やタイルは安価で、かつ文字や色彩を付するための加工が容易である。さらに、パネル３５をはめ込む方式を採用すれば、床板３自体を交換せずに、パネル３５だけ交換して、床構造に表す模様等を変えることができる。
【図面の簡単な説明】
【０１０８】
【図１】本発明の床構造を示す斜視図である。
【図２】図１に示す床構造のＡ−Ａ断面図である。
【図３】図１に示す床構造のＢ−Ｂ断面図である。
【図４】板ばねを示す図である。
【図５】床板固定具を示す４面図である。
【図６】床板固定具が床板を固定している状態を示す図である。
【図７】床板固定具の改変例を示す４面図である。
【図８】改変した床板固定具が根太および床板を固定する様子を示す図である。
【図９】複数の床板により文字を形成する
【図１０】表面から見えるように、一または二以上のパネルを保持する床板を示す平面図である。
【符号の説明】
【０１０９】
１…支持脚、
２…根太、
３…床板、
４、６…床板固定具、
５…床スラブ、
１０…アンカーボルト、
１２…根太受け、
１４…重ね板、
１５…凹部、
１６…ナット、
２０…基部、
２１…凸部、
２２…受け部、
２３…溝、
２４…凸部、
２６…中央部、
３０…溝、
３５…パネル、
４０…底部、
４１…凹部、
４２…本体部、
４４…嵌合部
６６…固定ピン、
６８…板ばね。
【図１】
2005105802.tif 000003
【図２】
2005105802.tif 000004
【図３】
2005105802.tif 000005
【図４】
2005105802.tif 000006
【図５】
2005105802.tif 000007
【図６】
2005105802.tif 000008
【図７】
2005105802.tif 000009
【図８】
2005105802.tif 000010
【図９】
2005105802.tif 000011
【図１０】
2005105802.tif 000012